(57)【特許請求の範囲】
【請求項１】
水分を含む汚泥廃棄物を収納し、この汚泥廃棄物内の水分を脱水するための透水性を有する袋体であり、この袋体はそれぞれが開口を有する複数の単位袋体が帯状に連設された構造であり、前記単位袋体の開口部の直前には単位袋体の閉塞された底部が形成されたことを特徴とする廃棄物収納袋。
【請求項２】
透水性を有する複数の単位袋体を帯状に連設し、各単位袋体の一端に形成される開口部周縁には開口の拡開を促す弾性体を装着すると共に、前記開口部周縁もしくは開口部から一定の距離に磁性もしくは光学的検知体が設けられている請求項１に記載の廃棄物収容袋。
【請求項３】
前記開口部周縁もしくは開口部から一定の距離には、磁性体からなる塗料もしくは粉末体が塗布されて成る請求項２に記載の廃棄物収容袋。
【請求項４】
水分を含む汚泥廃棄物を収容する汚泥槽と、所定間隔毎に開口部を有する透水性を備えた帯状の廃棄物収容袋と、前記汚泥槽から所定量吐出される汚泥廃棄物を収容すべく前記廃棄物収容袋を連続的に送り出し各単位袋体の開口部を吐出口の直下に位置決めする袋体送り装置と、前記吐出口の直下まで送られた前記袋体の開口部を検出し前記袋体送り装置に開口部の位置信号を送信する位置検出装置と、前記貯留槽の吐出口直下に位置決めされた開口部を通して廃棄物収容袋内に収容された汚泥廃棄物を圧縮して脱水する脱水装置と、脱水された水分を前記汚泥槽に戻す液体戻し手段とで構成され、前記袋体はそれぞれが開口を有する複数の単位袋体が帯状に連設された構造であり、前記単位袋体の開口部の直前には単位袋体の閉塞された底部が形成されたことを特徴とする廃棄物処理装置。
【請求項５】
前記脱水装置は、前記汚泥廃棄物が収容された単位袋体の開口部を閉塞する閉塞手段と、下方に垂下する単位袋体の側面に沿って延設された帯状の当板と、該当板との間に前記汚泥廃棄物を収容した単位袋体を介して対向配置された可撓性を有する保護板と、該保護板を介して前記当板との間で単位袋体を押圧しつつ長手方向に移動するローラ体とで構成されることを特徴とする請求項４に記載の廃棄物処理装置。
【請求項６】
汚泥廃棄物を定量吐出する吐出筒体を伸縮可能に構成すると共に該吐出筒体先端の吐出口に拡開機構を設け、前記吐出筒体を前記単位袋体の開口部に向けて移動し、前記吐出口が前記単位袋体の開口部内に侵入する行程で前記単位袋体の開口部を拡開させるようにしたことを特徴とする請求項４または５に記載の廃棄物処理装置。
【請求項７】
前記当板は、剛性を有し、複数の透孔を形成して成る請求項５または６に記載の廃棄物処理装置。
【発明の詳細な説明】
【０００１】
【発明の属する技術分野】
本発明は、水分を含有する廃棄物が多量に堆積される汚泥の脱水処理を簡易化すると共に、廃棄処理を容易にした廃棄物収容袋ないし廃棄物収容袋を用いた廃棄物処理システムおよび廃棄物処理装置に関する。
【０００２】
【従来の技術】
従来より、下水、溜めマス、池、ラグーン、養魚池、下水処理場、産業廃水処理場等で発生する汚泥等は、真空濾過、加圧濾過、遠心分離等の装置を用いて脱水処理が行われている。
【０００３】
これらの装置は、大型且つ高価に構成されるため、家庭用若しくはレストラン用として使用される小規模の合併処理槽内に収容される汚泥は、バキュームカー等により引き抜かれ廃棄処理されているのが現状である。
【０００４】
【発明が解決しようとする課題】
ところが、このような汚泥には多量の水が収容されており、汚泥はこれらの多量の水と共に引き抜かれ、漏れがないように密閉状態で輸送されるため輸送価格が割高となり不経済である。又引き抜かれた汚泥には多くの水分が含まれため更に下水処理場や大型の脱水装置で脱水したのち、焼却処理をしなければならない。
【０００５】
また、このような小規模な汚泥処理施設は、住宅街に多く設置されているためバキュームカーでの吸引作業は、悪臭の発生により周囲の環境が害されると共にコスト高となっている。
【０００６】
更に、合併処理槽内での生物処理は、少しづつ余剰汚泥を引き抜くことによって安定した生物処理が行われることとなるが、現在行われている引き抜き処理のように１年に１度または２度で汚泥を一気に多量に引き抜くことは生物処理上好ましくない。
【０００７】
しかしながら、現状では排水処理施設での余剰の汚泥を少しづつ定期的に抜き出して脱水処理できるような小型の処理装置がない。
【０００８】
また、家庭やレストラン等で発生する生ゴミを粉砕し、流動化することは生物処理上望ましいが、我が国では生ゴミをディスポーザーで処理して下水に直接排出することは禁止されている。
【０００９】
しかしながら、近年では新規に建設される集合住宅などでは専用の合併処理槽が設置されるのが通例であり、この合併処理槽にディスポーザーを介して生ゴミ処理物も排出することができるようになっており、汚泥生成量も従来より多くなっている。
【００１０】
一方、廃棄物の処理は、出来るだけ発生源で処理されるのが望ましく、このことは、嵩のある廃棄物を集荷、輸送することの不合理さ、不衛生さを回避すると共に、ゴミの仕分け分類が殆ど不要であり、ダイオキシン等の発生もより少なくすることができる。
【００１１】
また、し尿、生ゴミ等が主体である生活排水は、生物処理によって減量化するだけでなく、発酵等によってコンポスト化（培養土化）し肥料として資源化することができるが、水分が多過ぎると攪拌動力に負荷がかかり過ぎて動かなくなることがあり、さらに発酵が安定しない等の問題を有することとなる。
【００１２】
本発明はこのような問題点を解決するため、汚泥槽（本発明の対象として池やラグーン等も含む）内の水分を含有する廃棄物に対してこの汚泥の脱水処理を簡易化し、廃棄処理を容易に且つ経済的に行うようにし、併せて合併処理槽内の汚泥での生物処理を安定化させることが出来る廃棄物収容袋ないし廃棄物収容袋を用いた廃棄物処理システムおよび廃棄物処理装置を提供することを目的としている。
【００１３】
【課題を解決するための手段】
【００１５】
本発明の廃棄物収容袋は、水分を含む汚泥廃棄物を収納し、この汚泥廃棄物内の水分を脱水するための透水性を有する袋体であり、この袋体はそれぞれが開口を有する複数の単位袋体が帯状に連設された構造であり、前記単位袋体の開口部の直前には単位袋体の閉塞された底部が形成されたことを特徴としている。この特徴によれば、袋体を層状（折り畳みもしくは巻き取り）に省スペースで保管できるばかりか、汚泥廃棄物を間歇的に投入することにより、汚泥廃棄物から水分を確実に脱水できる。
【００１６】
本発明の廃棄物収容袋は、透水性を有する複数の単位袋体を帯状に連設し、各単位袋体の一端に形成される開口部周縁には開口の拡開を促す弾性体を装着すると共に、前記単位袋体の開口部の直前には単位袋体の閉塞された底部が形成され、前記開口部周縁もしくは開口部から一定の距離に磁性もしくは光学的検知体が設けられていることが好適である。
この特徴によれば、透水性を有する帯状の不織布に複数の単位袋体を連設されるので、これらの単位袋体を巻取ることによってコンパクトに構成されて収容管理が容易になり、単位袋体毎に連続的に送り出すことができる。また、各袋体の一端に形成される開口部周縁には環状弾性体が装着されているので、巻取り部から連続的に送り出された際に、環状弾性体の弾性力によって開口部を自力で開放することができる。さらに、開口部周縁もしくは開口部から一定の距離に磁性もしくは光学的検知体が設けられているので、この部分を例えば検出器により検出することで巻取り部から送り出されて来る開口部を位置決めすることができる。加えて、廃棄物収容袋内に例えば水分を含んだ汚泥等を収容し、圧縮することにより、汚泥内の水分を容易に脱水することができる。
【００１７】
本発明の廃棄物収容袋は、前記開口部周縁もしくは開口部から一定の距離には、磁性体からなる塗料もしくは粉末体が塗布されれば好適である。
このようにようにすることにより、柔軟性を有する袋体でも確実に検出することができる。
【００１８】
本発明の廃棄物処理装置は、水分を含む汚泥廃棄物を収容する汚泥槽と、所定間隔毎に開口部を有する透水性を備えた帯状の廃棄物収容袋と、前記汚泥槽から所定量吐出される汚泥廃棄物を収容すべく前記廃棄物収容袋を連続的に送り出し各単位袋体の開口部を吐出口の直下に位置決めする袋体送り装置と、前記吐出口の直下まで送られた前記袋体の開口部を検出し前記袋体送り装置に開口部の位置信号を送信する位置検出装置と、前記貯留槽の吐出口直下に位置決めされた開口部を通して廃棄物収容袋内に収容された汚泥廃棄物を圧縮して脱水する脱水装置と、脱水された水分を前記汚泥槽に戻す液体戻し手段とで構成され、前記袋体はそれぞれが開口を有する複数の単位袋体が帯状に連設された構造であり、前記単位袋体の開口部の直前には単位袋体の閉塞された底部が形成されたことを特徴としている。この特徴によれば、帯状の廃棄物収容袋を袋体送り装置により連続的に順次送り出して汚泥槽の吐出口直下に開口部を位置決めすることにより、位置決めされた所定間隔毎の開口部より汚泥を自動的に順次収容され、この袋体内の汚泥廃棄物は脱水装置により圧縮されることにより効率良く脱水される。また、脱水装置により汚泥廃棄物から脱水された水分は液体戻し手段を介して合併処理槽に戻すことができる。
【００１９】
本発明の廃棄物処理装置は、前記脱水装置が、前記汚泥廃棄物が収容された単位袋体の開口部を閉塞する閉塞手段と、下方に垂下する単位袋体の側面に沿って延設された帯状の当板と、該当板との間に前記汚泥廃棄物を収容した単位袋体を介して対向配置された可撓性を有する保護板と、該保護板を介して前記当板との間で単位袋体を押圧しつつ長手方向に移動するローラ体とで構成されれば好適である。
このようにすることにより、閉塞手段によって開口部が閉塞されて垂下する単位袋体がローラ体により可撓性を有する保護板を介して帯状の当板との間で押圧されるので、ローラ体が直接単位袋体に接触することがないため圧縮時における単位袋体の破損が回避され、収容された汚泥廃棄物がこぼれ落ちることがなく単位袋体の定形状態を保ち、廃棄処理を合理化することができる。
【００２０】
本発明の廃棄物処理装置は、前記貯留槽が、汚泥廃棄物を定量吐出する吐出筒体を伸縮可能に構成すると共に該吐出筒体先端の吐出口に拡開機構を設け、前記吐出筒体を前記単位袋体の開口部に向けて移動し、前記吐出口が前記単位袋体の開口部内に侵入する行程で前記単位袋体の開口部を拡開させるようにすれば好適である。
このようにすることにより、単位袋体の開口部の位置決めが確実に行われない場合や、開口部が傾斜して汚泥廃棄物の投入に支障がある状態でも、吐出口を開口部内に侵入する行程で単位袋体の開口部を拡開する拡開機構によって開口部を広げることができる。
【００２１】
本発明の廃棄物処理装置は、前記当板が剛性を有し、複数の透孔を形成して成れば好適である。
このようにすることにより、脱水に際し、単位袋体を充分に押し付けることができ、単位袋体から透水される水分は当板の複数の透孔を介して外部に排出され、単位袋体からの脱水性を向上することができる。
【００２３】
【発明の実施の形態】
以下、本発明の実施形態を図面に基づいて説明する。図１は廃棄物収容袋を用いた廃棄物処理システムの概念図、図２は本発明の廃棄物収容袋を示す斜視図である。ただし、この実施形態は小形の装置として用いた場合を示しており、大型化も可能である。
【００２４】
先ず、本発明の廃棄物収容袋の一実施形態につき説明する。図２において、１は廃棄物収容袋を示し、この廃棄物収容袋１は、透水性を有する帯状の不織布からなり、この帯状の不織布により連続的に複数の単位袋体２ａ、２ｂ…を形成し、各単位袋体２ａ、２ｂ…の一端に形成される開口部３ａ、３ｂ…の周縁にはゴムひも状の環状弾性体５を装着すると共に、該各単位袋体２ａ、２ｂ…毎の開口部３ａ、３ｂ…の直前には閉塞された底部が形成され、前記開口部３ａの周縁には磁性もしくは光学的検知体から成る検出体６が設けられる。
【００２５】
この場合、廃棄物収容袋１は、所定幅の帯状の不織布に所定長さ毎に形成された単位袋体２ａ、２ｂ…を連設して形成したもので、円盤状に巻き取ることによりコンパクトに形成することができる。
【００２６】
また開口部３ａ周縁に設けられる磁性体６は、磁性塗料または磁性粉体を塗布するか又は磁性体のテープを貼着しても良く、環状弾性体５を磁性体で構成しても良い。
【００２７】
また、ここで用いられる不織布としては、例えば旭化成のポリエステル製不織布（＃１１２０８、２０ｇ／ｍ2）が用いられれば好適であるが、この不織布と略同一の濾過機能を有する障子紙を用いても良く、繊維の長い再生紙を用いれば経済的である。
【００２８】
このようにして構成された廃棄物収容袋１は、ロール状に巻き取られた状態で収納管理され、搬送の際には巻き取られたままの状態で搬送することができる。
【００２９】
そして、汚泥の脱水処理として使用する際には、巻取り部Ｒから複数の単位袋体２ａ、２ｂ…を形成した廃棄物収容袋１が単位袋体２ａ、２ｂ…毎に所定長さ引き出されると、各開口部３ａ、３ｂ…がそれぞれ巻取り部Ｒから露呈したところでゴムひも状の環状弾性体５自体の復帰弾力によって略環状に開口される。
【００３０】
このように、単位袋体２ａ、２ｂ…が帯状の不織布に連続的に形成されるので、ロール状に巻取ることによってコンパクトに形成されると共に連続的に円滑に送り出すことができる。
【００３１】
また、各単位袋体２ａ、２ｂ…の一端に形成される開口部３ａ、３ｂ…周縁に環状弾性体５が装着されているので、巻取り部Ｒから連続的に送り出された際に、環状弾性体５の弾性力によって開口部３ａ、３ｂ…を自力で開放することができ開口部３ａ、３ｂ…を通して確実に投入することができる。
【００３２】
さらに、開口部３ａ、３ｂ…に磁性体６が設けられているので、この部分を検出することによって巻取り部から送り出されて来る開口部３ａ、３ｂ…を正確に位置決めすることができ、加えて、単位袋体内に例えば水分を含んだ汚泥等を収容した場合、圧縮することにより汚泥内の水分を脱水することができる。
【００３３】
次に、本発明の廃棄物収容袋を用いた廃棄物処理システムの一実施形態につき説明する。
【００３４】
図１は本発明の廃棄物処理システムを示す概念図である。本発明の廃棄物処理システムは、家庭の便器６やレストランから排出される生ゴミや糞尿類などの含水状の汚泥廃棄物Ｓを合併処理槽７内に沈殿状態で収容し、弁Ｖ１を適宜開放することによってポンプＰ１を介して貯留槽８に所定量づつ導入されて貯留槽８内に一時貯留される。
【００３５】
さらに貯留槽８内に貯留された汚泥廃棄物Ｓは、連続的に送り出される破棄物収容袋１に連設された透水性の袋体２ａ内に開口部３ａを通して収容したのち、脱水処理手段１０からの逆流を防止すると共に汚泥廃棄物Ｓが収容された袋体２ａを圧縮することにより汚泥廃棄物Ｓ内の水分を脱水し、脱水された水分はポンプＰ２により合併処理槽７内に戻されるようになっている。また、脱水された汚泥廃棄物Ｓは乾燥手段１１により乾燥したのち固形化された状態で搬送される。
【００３６】
このようにすることにより、少なくとも微細化された含水状の汚泥廃棄物Ｓが合併処理槽７内に沈殿状態で収容されるので、家庭やレストラン等で発生する生ゴミ等を粉砕し、流動化してディスポーザ等を通して収容することができ、余剰汚泥は貯留槽８側に少しづつ送り出すことで安定した生物処理を行うことができる。
【００３７】
また、開口部３ａを通して汚泥を袋体２ａ内に定量的に収容した状態で、この袋体２ａを脱水処理手段１０により圧縮して汚泥廃棄物Ｓ内の水分を効率良く脱水することができ、汚泥廃棄物Ｓ内から脱水された水分は、合併処理槽７内に戻すことができる。
【００３８】
脱水された汚泥廃棄物Ｓは、直接焼却するか、または一旦乾燥工程を経ることによって汚泥廃棄物Ｓの輸送を容易にし、衛生的に廃棄処理を行うことができる。
【００３９】
次に、本発明の廃棄物処理装置につき説明する。図３は廃棄物処理装置の脱水装置における貯留槽の吐出口と単位袋体の開口部との関係を示す斜視図であり、図４（ａ）は貯留槽吐出口に設けられた拡開機構と位置決めされる単位袋体の開口部との関係を示す拡大斜視図、（ｂ）は単位袋体開口部に装着される環状弾性体の取付け構造を示す部分拡大断面図、図５は脱水装置と袋体送り装置との関係を示す斜視図である。
【００４０】
図１及び図３、図５において、廃棄物処理装置は、水分を含む微細化された汚泥廃棄物Ｓを沈殿状態で収容する合併処理槽７と、所定間隔毎に開口部３ａ、３ｂ…を有する透水性を備えた単位袋体２ａ、２ｂ…を長手方向に連設した帯状の廃棄物収容袋１と、前記貯留槽８から定量吐出される汚泥廃棄物Ｓを収容すべく前記廃棄物収容袋１を連続的に送り出し各単位袋体２ａの開口部３ａを前記貯留槽８の吐出口３２の直下に位置決めする袋体送り装置１４と、前記貯留槽８の吐出口３２の直下まで送られた前記単位袋体２ａの開口部３ａを検出し前記袋体送り装置１４に開口部３ａの位置信号を送信する位置検出装置１５と、前記貯留槽８の吐出口３２直下に位置決めされた開口部３ａを通して単位袋体２ａ内に収容された汚泥廃棄物Ｓを圧縮して脱水する脱水装置１６と、脱水された水分を前記合併処理槽７に戻す液体戻し手段としてのポンプＰ２とで構成される。４ａ、４ｂは閉塞された単位袋体の底部である。
【００４１】
この場合、脱水装置１６は、汚泥廃棄物Ｓが収容された単位袋体２ａの開口部３ａを閉塞する閉塞手段としての押圧ローラ１８と、下方に垂下する単位袋体２ａの側面に沿って延設された帯状の当板１９と、該当板１９の上端にあって各単位袋体の開口部が停止される位置に配置され単位袋体の開口部を上端として垂下案内するローラＬと、当板１９との間に汚泥廃棄物Ｓを収容した単位袋体２ａを介して対向配置された可撓性を有し上端２８で垂下支持される保護板２０と、該保護板２０を介して当板１９との間で単位袋体２ａを押圧しつつ長手方向に移動するローラ体２１とで構成される。
【００４２】
更に詳しくは、ローラ体２１は、一対のチエーン２３ａ、２３ｂに固定されたブラケット２４の両端に圧縮ばね２５によりに外方に付勢される一対のホルダ２６に回転自在に保持され、これらホルダ２６は脱水装置１６上下の一対のスプロケットホイール２２ａ、２２ｂ間に掛け渡されたチエーン２３ａ、２３ｂに固定されている。
【００４３】
次に袋体送り装置１４は、脱水処理される単位袋体２ａの下端に配置され、該単位袋体の上下を挟持する一対のローラ２９、３０で構成される。
【００４４】
これら一対のローラ２９、３０の内、上部に配置されるローラは、モータＭにより駆動される駆動ローラ２９であり、この駆動ローラ２９に対向して下方に配置されるローラは単位袋体２ａを弾力的に押圧する押圧ローラ３０であり、これら駆動ローラ２９及び押圧ローラ３０の外周には長手方向に凹凸部が形成されている。
【００４５】
次に、貯留槽につき説明する。この貯留槽８は、図３に示されるように、底面に設けられた吐出口３２を大径筒体３１ａと、この大径筒体３１ａ内に上部が挿嵌され、ストッパ３９により下降移動が規制される小径筒体３１ｂとで伸縮可能に構成すると共に、該小径筒体３１ｂ下端の吐出口に拡開機構Ｇが設けられている。
【００４６】
この拡開機構Ｇは、図４に示されるように、単一の駆動源１２としての流体圧シリンダ３３により小径筒体３１ｂを伸縮移動させる動作により連動するように構成されており、閉塞された状態で上方に位置決めされている小径筒体３１ｂを単位袋体２ａの開口部３ａに向けて移動し、小径筒体３１ｂの吐出口が単位袋体２ａの開口部３ａ内に侵入する行程で開放され、これにより単位袋体２ａの開口部３ａを拡開するように構成されている。
【００４７】
拡開機構Ｇは、小径筒体３１ｂ下端部の吐出口に円錐体を縦方向に２分割した開閉体３５、３６が開閉可能に配設されており、これら開閉体３５、３６は上部両側より延設した一対のアーム３５ａ、３６ａの交差部がピンＰを介して枢動可能に軸支されている。
【００４８】
これら互いに交差した一対のアーム３５ａ、３６ａ間の内周縁には、小径筒体３１ｂの外周に沿って移動可能に挿嵌されたリング３８の両下端に形成されたカム３７外周の一部が摺動可能に当接している。
【００４９】
そして、リング３８上部に横方向に突設した係止片Ｂには、流体圧シリンダ３３のピストンロッド３４先端が固定されている。
【００５０】
次に、この拡開機構Ｇの作用を説明する。すなわち、図３及び図４に示されるように、シリンダ３３を作動させることによってピストンロッド３４を伸長させると、大径筒体３１ａ内に収容されていた小径筒体３１ｂは下降し、その下降移動がストッパ３９によって規制される。
【００５１】
この状態では、小径筒体３１ｂの下端にある閉じた状態の開閉体３５、３６は、位置決めされた単位袋体２ａの開口部３ａ内に侵入している。
【００５２】
さらに、ピストンロッド３４を伸長させるとリング３８のみが下降してリング３８の両下端に形成されたカム３７が一対のアーム３５ａ、３６ａの互いに交差した一対のアーム３５ａ、３６ａ間の内周縁に当接する。
【００５３】
これにより、カム３７の作用で開閉体３５、３６が単位袋体２ａの開口部３ａ内で拡開し、開口部３ａを強制的に開放することができる。
【００５４】
この状態で、貯留槽８内から定量の汚泥廃棄物Ｓが単位袋体２ａ内に投入されたのちは、シリンダ３３の作用でピストンロッド３４が上昇し、これによってカム３７が上昇し、拡開状態の一対のアーム３５ａ、３６ａは、自重または弾性部材を利用して閉塞される。
【００５５】
更に、ピストンロッド３４を上昇させると、小径筒体３１ｂの外周にそって上昇リング３８がストッパＫ１、Ｋ２に当接し、これを上方に移動させると、これによって、大径筒体３１ａ内で上端がストッパ３９に係止して保持されていた小径筒体３１ｂが大径筒体３１ａ内に収容される。
【００５６】
このようにすることによって、単位袋体の開口部の位置決めが確実に行われない場合や、開口部が傾斜して汚泥廃棄物の投入に支障がある状態でも、吐出口を開口部内に侵入する際に拡開する拡開機構によって開口部を広げることができる。
【００５７】
次に、本発明の廃棄物処理装置による脱水処理の作用につき説明する。図６（ａ）〜（ｃ）ないし図７（ａ）及び（ｂ）は汚泥廃棄物の脱水処理の作用をしめす工程図である。
【００５８】
図６（ａ）において、廃棄物収容袋１の単位袋体２ａが送り装置１４によって脱水処理１０内に送り出され、単位袋体２ａの開口部３ａが位置検出装置としてのセンサ１５によって位置が検出されたところで停止し、開口部３ａが脱水処理１０の上端、すなわち、貯留槽８の吐出口３２下端に位置決めされる。ここで開口部３ａが開放されていることが条件であり、底部４ａ、４ｂが閉塞されていなくても送り装置１４等で下方への流れを止めておけば汚泥が下の開口から抜け落ちることはない。
【００５９】
次に図６（ｂ）に示される貯留槽８の吐出口３２より定位置に位置決めされている単位袋体２ａの開口部３ａを通して定量の汚泥廃棄物Ｓが投入される。
【００６０】
単位袋体２ａ内に所定量の汚泥廃棄物Ｓが投入されたところで、図６の（ｃ）に示されるように閉塞手段である押圧ローラ１８によって単位袋体２ａの開口部３ａが閉塞されて逆流が防止される。
【００６１】
続いて、図７の（ａ）に示されるように、押圧ローラ１８によって上部が挟持され支持された単位袋体２ａは、ローラ体２１によって保護板２０を介して当板１９に押し付けられ、この状態でローラ体２１を下方に移動させる。
【００６２】
このローラ体２１が下方に移動することによって、図７の（ｂ）に示されるように、不織布で構成される単位袋体２ａ内に収容されている汚泥廃棄物Ｓは密封状態の単位袋体２ａ内で圧縮され、この汚泥廃棄物Ｓ内から水分が透水されて順次排出され、同時に当板に形成された複数の透し孔２７からも排出された廃棄水は、廃棄物処理装置内の底部に集合し、液体戻し手段を介して合併処理槽７内に戻される。
【００６３】
このようにすることにより、ローラ体２１によって開口部３ａが閉塞されて逆流が防止された状態で、垂下する単位袋体２ａが可撓性を有する保護板２０を介して帯状の当板１９との間で押圧されるので、ローラ体２１が直接単位袋体２ａに接触することがないため圧縮時における単位袋体２ａの破損が回避され、収容された汚泥廃棄物Ｓがこぼれ落ちることがなく単位袋体２ａの定形状態を保ち、廃棄処理を合理化することができる。
【００６４】
また、脱水に際し、単位袋体２ａを充分に押し付けることができ、単位袋体２ａから透水される水分は当板１９の複数の透孔２７を介して外部に排出され、単位袋体２ａからの脱水性を向上することができる。
【００６５】
さらに、帯状の廃棄物収容袋１に長手方向に連設して設けられた不織布からなる単位袋体２ａを袋体送り装置１４により連続的に順次送り出して貯留槽８の吐出口３２直下に位置決めすることにより、位置決めされた所定間隔毎の開口部３ａより各単位袋体２ａに定量の汚泥を自動的に順次収容され、単位袋体２ａ内の汚泥廃棄物Ｓは脱水装置１６により圧縮することにより効率良く脱水される。また、脱水装置１６により汚泥廃棄物Ｓから脱水された水分は液体戻し手段を介して合併処理槽７に戻すことができる。
【００６６】
図８には第２の実施形態が示され、これは前述の実施形態に比較して廃棄物収容袋１の構造とその送り出し方式が異なる。
【００６７】
巻き取り部Ｒに巻かれた収容袋１は、長手方向にほぼ中央の折り線Ｃで２つ折りされて重ねられた前実施例で示すような透水性の紙または布（不織布等）であり、開放片４１で所定幅拡開されながら脱水処理手段１０内にその開口４０から送り込まれる。
【００６８】
この収容袋１は脱水処理手段１０内で、中央の折り線Ｃが下方に位置することによって下方縁４３を構成し、さらにその反対側である２つの端線が上方縁４２を構成する。下方縁４３は折り目であるため常時閉塞されており、上方縁は開口部となる。
【００６９】
１４は送り装置であり、２本の駆動ローラ２９で収納袋１を縦にして挟み込んだ状態で圧縮して外部に送り出す。ここで上方縁の開口部は上を向いて開いており、収納袋１内に汚泥が吐出口３２から注入され、ここで水分のみが透水され汚泥物質の一次脱水が行われる。さらに残された汚泥は前記した駆動ローラ２９で圧縮され、更なる２次脱水がかけられ汚泥廃棄物Ｓは収納袋１内でつぶされて排出される。４４はこの帯状に排出される汚泥廃棄物Ｓのケーキを巻き取る駆動ローラである。
【００７０】
この実施形態の構造を採用すれば、収納袋１の連続的な移動と、汚泥の連続的な吐出が可能となり、極めて安価でメンテナンスの少ないシステムが完成する。これを自動化する場合は、吐出口３２から吐出される汚泥量と収納袋１の巻取り量とを予め規定することによって可能となる。
【００７１】
以上、本発明の実施例を図面により説明してきたが、具体的な構成はこれら実施例に限られるものではなく、本発明の要旨を逸脱しない範囲における変更や追加があっても本発明に含まれる。例えば合併処理槽７は一例であり、池やラグーン、下水等、各汚泥の存在する槽および溜まりであれば、これらを全て含むものが汚泥槽である。
【００７２】
【発明の効果】
本発明は次の効果を奏する。
【００７５】
（ａ）請求項１の発明によれば、袋体を層状（折り畳みもしくは巻き取り）に省スペースで保管できるばかりか、汚泥廃棄物を間歇的に投入することにより、汚泥廃棄物から水分を確実に脱水できる。
【００７６】
（ｂ）請求項２の発明によれば、透水性を有する帯状の不織布に複数の単位袋体を連設されるので、これらの単位袋体を巻取ることによってコンパクトに構成されて収容管理が容易になり、単位袋体毎に連続的に送り出すことができる。また、各袋体の一端に形成される開口部周縁には環状弾性体が装着されているので、巻取り部から連続的に送り出された際に、環状弾性体の弾性力によって開口部を自力で開放することができる。さらに、開口部周縁もしくは開口部から一定の距離に磁性もしくは光学的検知体が設けられているので、この部分を例えば検出器により検出することで巻取り部から送り出されて来る開口部を位置決めすることができる。加えて、廃棄物収容袋内に例えば水分を含んだ汚泥等を収容し、圧縮することにより、汚泥内の水分を容易に脱水することができる。
【００７７】
（ｃ）請求項３の発明によれば、柔軟性を有する袋体でも確実に検出することができる。
【００７８】
（ｄ）請求項４の発明によれば、帯状の廃棄物収容袋を袋体送り装置により連続的に順次送り出して汚泥槽の吐出口直下に開口部を位置決めすることにより、位置決めされた所定間隔毎の開口部より汚泥を自動的に順次収容され、この袋体内の汚泥廃棄物は脱水装置により圧縮されることにより効率良く脱水される。また、脱水装置により汚泥廃棄物から脱水された水分は液体戻し手段を介して合併処理槽に戻すことができる。
【００７９】
（ｅ）請求項５の発明によれば、閉塞手段によって開口部が閉塞されて垂下する単位袋体がローラ体により可撓性を有する保護板を介して帯状の当板との間で押圧されるので、ローラ体が直接単位袋体に接触することがないため圧縮時における単位袋体の破損が回避され、収容された汚泥廃棄物がこぼれ落ちることがなく単位袋体の定形状態を保ち、廃棄処理を合理化することができる。
【００８０】
（ｆ）請求項６の発明によれば、単位袋体の開口部の位置決めが確実に行われない場合や、開口部が傾斜して汚泥廃棄物の投入に支障がある状態でも、吐出口を開口部内に侵入する行程で単位袋体の開口部を拡開する拡開機構によって開口部を広げることができる。
【００８１】
（ｇ）請求項７の発明によれば、脱水に際し、単位袋体を充分に押し付けることができ、単位袋体から透水される水分は当板の複数の透孔を介して外部に排出され、単位袋体からの脱水性を向上することができる。
【００８３】
【図面の簡単な説明】
【図１】本発明の一実施形態としての廃棄物収容袋を用いた廃棄物処理システムの概念図である。
【図２】本発明の廃棄物収容袋を示す斜視図である。
【図３】廃棄物処理装置の脱水装置における貯留槽の吐出口と単位袋体の開口部との関係を示す斜視図である。
【図４】（ａ）は貯留槽吐出口に設けられた拡開機構と位置決めされる単位袋体の開口部との関係を示す拡大斜視図、（ｂ）は単位袋体開口部に装着される環状弾性体の取付け構造を示す部分拡大断面図である。
【図５】脱水装置と袋体送り装置との関係を示す斜視図である。
【図６】（ａ）〜（ｃ）は汚泥廃棄物の脱水処理の作用をしめす工程図である。
【図７】（ａ）及び（ｂ）は汚泥廃棄物の脱水処理の作用をしめす工程図である。
【図８】第２実施形態である脱水装置と送り装置の斜視図である。
【符号の説明】
１                    廃棄物収容袋
２ａ、２ｂ            単位袋体
３ａ、３ｂ            開口部
４ａ、４ｂ            底部
５                    環状弾性体（弾性体）
６                    便器
７                    合併処理槽（汚泥槽）
８                    貯留槽
１０                  脱水処理手段
１１                  乾燥手段
１２                  駆動源
１４                  送り装置
１５                  位置検出装置
１６                  脱水装置
１９                  当板
２０                  保護板
２１                  ローラ体
２２ａ、２２ｂ        スプロケットホイール
２３ａ、２３ｂ        チエーン
２４                  ブラケット
２５                  圧縮ばね
２６                  ホルダ
２７                  透し孔
２８                  上端
２９                  駆動ローラ
３０                  押圧ローラ
３１ａ                大径筒体
３１ｂ                小径筒体
３２                  吐出口
３３                  シリンダ
３４                  ピストンロッド
３５、３６            開閉体
３５ａ、３６ａ        アーム
３７                  カム
３８                  リング
３９                  ストッパ
４０                  開口
４１                  開放片
４２                  上方縁
４３                  下方縁
４４                  駆動ローラ
Ｂ                    係止片
Ｇ                    拡開機構
Ｋ１、Ｋ２            ストッパ
Ｌ                    ローラ
Ｐ                    ピン
Ｐ１、Ｐ２            ポンプ
Ｒ                    巻取り部
Ｓ                    汚泥廃棄物
Ｖ１、Ｖ２            弁
Ｃ                    折り線
【図１】
0003783151.tif 000002
【図２】
0003783151.tif 000003
【図３】
0003783151.tif 000004
【図４】
0003783151.tif 000005
【図５】
0003783151.tif 000006
【図６】
0003783151.tif 000007
【図７】
0003783151.tif 000008
【図８】
0003783151.tif 000009